(57)【要約】履物用中敷１は、人の足裏を模した足裏形状を持つシート状の基材１０と、基材１０の内部に埋め込まれた銅板２１と、基材１０の内部に埋め込まれた磁石２３−１〜２３−３とを有する。銅板２１は、基材１０の足裏形状の中央部よりもつま先側に配置される。磁石２３−１〜２３−３は、基材１０の足裏形状の土踏まず部に配置される。
2019077791.tif 000002
【特許請求の範囲】
【請求項１】
履物内の底部に敷かれる履物用中敷であって、
足裏を模した足裏形状を持つシート状の基材と、
前記基材の内部に埋め込まれ、前記足裏形状の中央部よりもつま先側に配置された銅板と、
前記基材の内部に埋め込まれ、前記足裏形状の土踏まず部に配置された磁石と
を有する履物用中敷。
【請求項２】
前記基材は、それぞれ前記足裏形状を持ち、互いに重ね合わされた複数のシート部材を含み、
前記銅板及び前記磁石は、前記複数のシート部材の間に挟み込まれている、
請求項１に記載の履物用中敷。
【請求項３】
前記複数のシート部材は、
前記足裏形状の外縁に沿った外縁線と、
前記外縁線に接した前記土踏まず部において前記磁石の周囲の一部を囲む磁石包囲線とにおいて溶着されており、
前記磁石は、前記外縁線と前記磁石包囲線とにより囲まれた第１領域に配置される、
請求項２に記載の履物用中敷。
【請求項４】
前記磁石包囲線は、前記足裏形状の外縁から内側に向かって湾曲した曲線である、
請求項３に記載の履物用中敷。
【請求項５】
前記複数のシート部材は、前記第１領域を複数の範囲に区分する１以上の区分線において溶着されており、
前記複数の範囲は、それぞれ前記外縁線に接しており、前記足裏形状のつま先から踵に向かう方向において並んでおり、
前記複数の範囲の各々に前記磁石が配置される、
請求項３又は４に記載の履物用中敷。
【請求項６】
前記区分線は、切れ目なく連続した実線である、
請求項５に記載の履物用中敷。
【請求項７】
前記複数のシート部材は、
前記足裏形状の外縁に沿った外縁線と、
サイズが異なる複数の足裏の輪郭を模した複数の足裏輪郭線と
において溶着されており、
前記サイズが異なる複数の足裏は、踵に対するつま先の方向が前記足裏形状と同じであるとともに、踵の位置が前記足裏形状と同じであり、
前記複数の足裏輪郭線は、それぞれつま先の輪郭を含んだ足裏の前方部分の輪郭を模しており、
少なくとも１つの前記足裏輪郭線は、両側の端部が前記外縁線から離間している、
請求項２〜６のいずれか一項に記載の履物用中敷。
【請求項８】
前記足裏形状の最もつま先側に位置する前記足裏輪郭線は、前記両側の端部が前記外縁線から離間している、
請求項７に記載の履物用中敷。
【請求項９】
前記銅板は、前記足裏形状の最もつま先側に位置する前記足裏輪郭線の前記両側の端部を結ぶ直線と重なる場所に配置される、
請求項８に記載の履物用中敷。
【請求項１０】
前記銅板は、前記足裏形状の最も踵側に位置する前記足裏輪郭線に接した第２領域であって、当該足裏輪郭線の両端を結ぶ直線と当該足裏輪郭線とにより囲まれた前記第２領域に配置される、
請求項７〜９のいずれか一項に記載の履物用中敷。
【請求項１１】
前記複数のシート部材は、前記第２領域内において、少なくとも前記足裏形状の踵側及び左右の側方から前記銅板の周囲の一部を囲む銅板包囲線において溶着されている、
請求項１０に記載の履物用中敷。
【請求項１２】
前記複数のシート部材は、
使用者の足裏に接する上シート部材と、
前記履物内の底面に接する下シート部材と、
前記上シート部材と前記下シート部材との間に挟まれた１以上の中間シート部材と
を含み、
前記磁石は、前記上シート部材に隣接する前記中間シート部材と前記上シート部材との間に挟み込まれている、
請求項２〜１１のいずれか一項に記載の履物用中敷。
【請求項１３】
前記磁石は、前記シート部材を介して使用者の足裏に接する面が当該使用者の足裏の方向に向けて滑らかに突出した曲面である、
請求項２〜１２のいずれか一項に記載の履物用中敷。
【請求項１４】
前記銅板は、前記足裏形状のつま先の方向に向かうほど横幅が小さくなる形状を持つ、
請求項２〜１３のいずれか一項の記載の履物用中敷。
【請求項１５】
請求項５に記載の履物用中敷の製造方法であって、
前記足裏形状の前記第１領域に対応する部分において外側に凸部が突出した準足裏形状を持ち、前記準足裏形状の外縁に沿った準外縁線と前記磁石包囲線と前記１以上の区分線とにおいて高周波溶接により溶着され、かつ、前記銅板が中間に挟み込まれた前記複数のシート部材を準備する工程と、
前記凸部の外縁において開いた前記シート部材同士の隙間から、前記複数のシート部材の中に形成される複数の収容空間であって、前記第１領域の前記複数の範囲に対応する複数の収容空間の各々に、前記磁石を挿入する工程と、
前記凸部を横切る前記足裏形状の前記外縁線において前記複数のシート部材を溶着する工程と、
前記複数のシート部材の形状が前記足裏形状となるように、前記複数のシート部材における前記凸部を切り取る工程と、
を有する履物用中敷の製造方法。
【発明の詳細な説明】
【技術分野】
【０００１】
本発明は、靴などの履物内の底部に敷かれる履物用中敷とその製造方法に関するものである。
【背景技術】
【０００２】
使用者の足裏に磁気を作用させるための磁石が埋め込まれた履物用の中敷（インソール）が知られている（例えば、特許文献１参照）。
【先行技術文献】
【特許文献】
【０００３】
【特許文献１】特開２００７−６１２３５号公報
【発明の開示】
【発明が解決しようとする課題】
【０００４】
磁石が埋め込まれた従来の履物用中敷では、磁気の作用によって足裏の血行を促進する効果などが得られるものの、磁石のみでは消臭効果が得られないという問題がある。【０００５】
本発明はかかる事情に鑑みてなされたものであり、その目的は、使用者の足裏に磁気を作用させつつ消臭効果が得られる履物用中敷とその製造方法を提供することにある。
【課題を解決するための手段】
【０００６】
本発明の第１の態様に係る履物用中敷は、履物内の底部に敷かれる履物用中敷であって、足裏を模した足裏形状を持つシート状の基材と、基材の内部に埋め込まれ、足裏形状の中央部よりもつま先側に配置された銅板と、基材の内部に埋め込まれ、足裏形状の土踏まず部に配置された磁石とを有する。【０００７】
好適に、基材は、それぞれ足裏形状を持ち、互いに重ね合わされた複数のシート部材を含んでよい。銅板及び磁石は、複数のシート部材の間に挟み込まれてよい。【０００８】
好適に、複数のシート部材は、足裏形状の外縁に沿った外縁線と、外縁線に接した土踏まず部において磁石の周囲の一部を囲む磁石包囲線とにおいて溶着されてよい。磁石は、外縁線と磁石包囲線とにより囲まれた第１領域に配置されてよい。【０００９】
好適に、磁石包囲線は、足裏形状の外縁から内側に向かって湾曲した曲線であってよい。【００１０】
好適に、複数のシート部材は、第１領域を複数の範囲に区分する１以上の区分線において溶着されてよい。当該複数の範囲は、それぞれ外縁線に接しており、足裏形状のつま先から踵に向かう方向において並んでいてよい。当該複数の範囲の各々には、磁石が配置されてよい。【００１１】
好適に、区分線は、切れ目なく連続した実線であってよい。【００１２】
好適に、複数のシート部材は、足裏形状の外縁に沿った外縁線と、サイズが異なる複数の足裏の輪郭を模した複数の足裏輪郭線とにおいて溶着されてよい。当該サイズが異なる複数の足裏は、踵に対するつま先の方向が足裏形状と同じであるとともに、踵の位置が足裏形状と同じであってよい。複数の足裏輪郭線は、それぞれつま先の輪郭を含んだ足裏の前方部分の輪郭を模していてよい。少なくとも１つの足裏輪郭線は、両側の端部が外縁線から離間していてよい。【００１３】
好適に、足裏形状の最もつま先側に位置する足裏輪郭線は、両側の端部が外縁線から離間していてよい。【００１４】
好適に、銅板は、足裏形状の最もつま先側に位置する足裏輪郭線の両側の端部を結ぶ直線と重なる場所に配置されてよい。【００１５】
好適に、銅板は、足裏形状の最も踵側に位置する足裏輪郭線に接した第２領域であって、当該足裏輪郭線の両端を結ぶ直線と当該足裏輪郭線とにより囲まれた第２領域に配置されてよい。【００１６】
好適に、複数のシート部材は、第２領域内において、少なくとも足裏形状の踵側及び左右の側方から銅板の周囲の一部を囲む銅板包囲線において溶着されてよい。【００１７】
複数のシート部材は、使用者の足裏に接する上シート部材と、履物内の底面に接する下シート部材と、上シート部材と下シート部材との間に挟まれた１以上の中間シート部材とを含んでよい。磁石は、上シート部材に隣接する中間シート部材と上シート部材との間に挟み込まれていてよい。【００１８】
好適に、磁石は、シート部材を介して使用者の足裏に接する面が当該使用者の足裏の方向に向けて滑らかに突出した曲面であってよい。【００１９】
好適に、銅板は、足裏形状のつま先の方向に向かうほど横幅が小さくなる形状を持ってよい。【００２０】
本発明の第２の観点に係る方法は、上記第１の観点に係る履物用中敷の製造方法であって、足裏形状の第１領域に対応する部分において外側に凸部が突出した準足裏形状を持ち、準足裏形状の外縁に沿った準外縁線と磁石包囲線と１以上の区分線とにおいて高周波溶接により溶着され、かつ、銅板が中間に挟み込まれた複数のシート部材を準備する工程と、凸部の外縁において開いたシート部材同士の隙間から、複数のシート部材の中に形成される複数の収容空間であって、第１領域の複数の範囲に対応する複数の収容空間の各々に、磁石を挿入する工程と、凸部を横切る足裏形状の外縁線において複数のシート部材を溶着する工程と、複数のシート部材の形状が足裏形状となるように、複数のシート部材における凸部を切り取る工程とを有する。
【発明の効果】
【００２１】
本発明によれば、使用者の足裏に磁気を作用させつつ消臭効果が得られる履物用中敷とその製造方法を提供できる。
【図面の簡単な説明】
【００２２】
【図１】図１は、本発明の実施形態に係る履物用中敷の平面図である。
【図２】図２は、図１に示す履物用中敷のII−II線における模式的な断面図である。
【図３】図３は、図１に示す履物用中敷のIII−III線における模式的な断面図である。
【図４】図４Ａ及び図４Ｂは、磁石の外観の一例を示す図である。
【図５】図５は、銅板の外観の一例を示す図である。
【図６】図６は、履物用中敷の製造方法を説明するための第１の図である。
【図７】図７は、履物用中敷の製造方法を説明するための第２の図である。
【図８】図８は、履物用中敷の製造方法を説明するための第３の図である。
【図９】図９は、図１に示す履物用中敷に対する比較例を示す図である。
【図１０】図１０は、図９に示す比較例のＸ−Ｘ線における模式的な断面図である。
【発明を実施するための形態】
【００２３】
以下、本発明の一実施形態に係る履物用中敷ついて図面を参照して説明する。図１は、本実施形態に係る履物用中敷１の平面図であり、使用者の足裏が接触する面の側から見た図である。図２は、図１に示す履物用中敷１のII−II線における模式的な断面図である。図３は、図１に示す履物用中敷１のIII−III線における模式的な断面図である。
【００２４】
本実施形態に係る履物用中敷１は、靴などの履物内の底部に敷いて使用される中敷であって、図１に示すように、人の足裏を模した足裏形状を持つシート状の基材１０と、基材１０の内部に埋め込まれた銅板２１と、基材１０の内部に埋め込まれた３つの磁石２３−１〜２３−３（以下、個々の磁石を区別せずに「磁石２３」と記す場合がある。）とを有する。銅板２１は、基材１０の足裏形状の中央部よりもつま先側に配置される。３つの磁石２３は、基材１０の足裏形状の土踏まず部に配置される。
【００２５】
基材１０は、図２及び図３の例において、それぞれ略同一の足裏形状を持った５つのシート部材１１−１〜１１−５（以下、個々のシート部材を区別せずに「シート部材１１」と記す場合がある。）を含む。シート部材１１−１〜１１−５は、この順番で互いに重ね合わされている。銅板２１と磁石２３−１〜２３−３は、シート部材１１−１〜１１−５の間に挟み込まれている。
【００２６】
履物用中敷１を履物内の底部に敷いた使用状態において、シート部材１１−１は使用者の足裏に接し、シート部材１１−５は履物内の底部に接する。シート部材１１−１は「上シート部材」とも呼ばれ、シート部材１１−５は「下シート部材」とも呼ばれる。上シート部材１１−１と下シート部材１１−５との間に挟まれたシート部材１１−２〜１１−４は、それぞれ「中間シート部材」とも呼ばれる。図２及び図３に示すように、銅板２１と磁石２３−１〜２３−３は、上シート部材１１−１と中間シート部材１１−２との間に挟み込まれている。
【００２７】
シート部材１１は、例えば、ポリ塩化ビニリデン等の合成樹脂の繊維を織って形成された織布である。５つのシート部材１１は、例えば高周波溶接によって互いに溶着される。図１における斜線部分は、基材１０を構成する５つのシート部材１１が溶着された箇所を表す。
【００２８】
図１に示すように、基材１０を構成する５つのシート部材１１は、足裏形状の外縁に沿った外縁線３１と、この外縁線３１に接した土踏まず部において３つの磁石２３の周囲の一部を囲んだ磁石包囲線３２とにおいて溶着されている。図１の例において、外縁線３１は切れ目なく連続した実線であり、磁石包囲線３２は点線である。磁石包囲線３２は、足裏形状の外縁から内側に向かって湾曲した曲線である。３つの磁石２３は、この外縁線３１と磁石包囲線３２とにより囲まれた第１領域Ａ１に配置される。
【００２９】
また図１に示すように、基材１０を構成する５つのシート部材１１は、第１領域Ａ１を３つの範囲Ｒ１〜Ｒ３に区分する２つの区分線３３−１〜３３−２（以下、個々の区分線を区別せずに「区分線３３」と記す場合がある。）において溶着されている。区分線３３−１及び３３−２は、何れも、足裏形状の土踏まず側の外縁線３１に接しており、土踏まずの側部からその反対側の側部に向かって直線状に伸びている。区分線３３−１は、区分線３３−２に比べてつま先側に位置する。図１に示すように、区分線３３−１及び３３−２は、切れ目なく連続した実線である。
【００３０】
３つの範囲Ｒ１〜Ｒ３は、それぞれ外縁線３１に接しており、足裏形状のつま先から踵に向かう方向に並んでいる。範囲Ｒ１は、最もつま先側の位置し、外縁線３１と磁石包囲線３２と区分線３３−１とにより囲まれている。範囲Ｒ２は、範囲Ｒ１と範囲Ｒ３との間に位置し、外縁線３１と磁石包囲線３２と区分線３３−１と区分線３３−２とにより囲まれている。範囲Ｒ３は、最も踵側に位置し、外縁線３１と磁石包囲線３２と区分線３３−２とにより囲まれている。
【００３１】
第１領域Ａ１における３つの範囲Ｒ１〜Ｒ３の各々には、磁石２３が配置される。すなわち、範囲Ｒ１に磁石２３−１が配置され、範囲Ｒ２に磁石２３−２が配置され、範囲Ｒ３に磁石２３−３が配置される。
【００３２】
更に図１に示すように、基材１０を構成する５つのシート部材１１は、サイズが異なる３つの足裏の輪郭を模した３つの足裏輪郭線３４−１〜３４−３（以下、個々の足裏輪郭線を区別せずに「足裏輪郭線３４」と記す場合がある。）において溶着されている。足裏輪郭線３４−１〜３４−３により表された異なるサイズの３つの足裏は、踵に対するつま先の方向が基材１０の足裏形状と同じであるとともに、踵の位置が基材１０の足裏形状と同じである。３つの足裏輪郭線３４−１〜３４−３は、それぞれつま先の輪郭を含んだ足裏の前方部分の輪郭を模している。足裏輪郭線３４−１〜３４−３は、この順番でつま先から踵の方向に並んでいる。
【００３３】
３つの足裏輪郭線３４−１〜３４−３のうち、踵側に位置する２つの足裏輪郭線３４−２〜３４−３は、両側の端部が外縁線３１に接している一方、最もつま先側に位置する足裏輪郭線３４−１は、両側の端部が外縁線３１から離間している。すなわち、図１に示すように、足裏輪郭線３４−２の端部３０１−２及び３０２−２、並びに、足裏輪郭線３４−３の端部３０１−３及び３０２−３は外縁線３１に接しており、足裏輪郭線３４−１の端部３０１−１及び３０２−１は外縁線３１から離間している。
【００３４】
図１における「Ａ２」は、基材１０の足裏形状の最も踵側に位置する足裏輪郭線３４−３に接した領域であって、足裏輪郭線３４−３の両端（端部３０１−３及び３０２−３）を結ぶ直線（図１の点線）と足裏輪郭線３４−３とにより囲まれた領域（以下、「第２領域Ａ２」と記す。）を示す。図１の例において、銅板２１はこの第２領域Ａ２に配置されている。
【００３５】
また図１に示すように、基材１０を構成する５つのシート部材１１は、第２領域Ａ２内において、基材１０の足裏形状の踵側及び左右の側方から銅板２１の周囲の一部を囲む銅板包囲線３５において溶着されている。図１の例において、銅板包囲線３５は点線であり、足裏形状の踵側において左右方向に伸びた部分と、銅板２１から見て左側に位置する部分と、銅板２１から見て右側に位置する部分とを含む。銅板２１は、足裏輪郭線３４−３によってつま先側の位置が制限されるとともに、銅板包囲線３５によって踵側及び左右側方の位置が制限される。
【００３６】
銅板２１は、図１の例において、基材１０の足裏形状の最もつま先側に位置する足裏輪郭線３４−１の両端（端部３０１−１及び３０２−２）を結ぶ直線（図１の点線）と重なる場所に配置されている。
【００３７】
図４Ａ及び図４Ｂは、磁石２３の外観の一例を示す図である。図４Ａは、図１と同じ方向から見た図を示し、図４Ｂは、図４Ａに対して直交する方向から見た図を示す。磁石２３の上面２３１は、シート部材１１−１を介して使用者の足裏と接し、磁石２３の下面２３２は、シート部材１１−２〜１１−５を介して履物内の底面と接する。図４Ａ及び図４Ｂの例において、磁石２３は、全体的に円柱に似た形状を持つ。磁石２３の上面２３１及び下面２３２の形状は、それぞれ略円形である。また図４Ｂの例において、磁石２３の上面２３１は、使用者の足裏の方向に向けて滑らかに突出した曲面をなしている。
【００３８】
磁石２３は、例えば、酸化鉄のセラミックスなどにより形成された異方性磁石であり、Ｎ極及びＳ極の一方を使用者の足裏に向けて配置される。磁石２３のサイズは、例えば直径８ｍｍ、厚さ４ｍｍである。
【００３９】
図５は、銅板２１の外観の一例を示す図であり、図１と同じ方向から見た図を示す。図５の例において、銅板２１の平面形状は、足裏形状のつま先の方向に向かうほど横幅が小さくなる三角形に似た形状を持ち、銅板２１のつま先側の先端部は丸味を帯びている。銅板２１は、例えばタフピッチ銅により形成される。
【００４０】
銅板２１には、２つの孔２０１及び２０２が形成されている。孔２０１及び２０２は、５つのシート部材１１を高周波溶接により溶着する際に、高周波溶接用の金型の内部で銅板２を位置決めするピンを挿入するためのものである。図５の例において、２つの孔２０１及び２０２は、つま先から踵に向かう方向へ伸びる銅板２１の中央線に沿って並んでいる。
【００４１】
上述した構成を有する本実施形態に係る履物用中敷１によれば、次のような効果が得られる。
【００４２】
本実施形態に係る履物用中敷１において、基材１０には、磁石２３だけでなく銅板２１が埋め込まれている。そのため、銅板２１の殺菌作用によって、臭いの原因となる雑菌の繁殖を抑制することが可能となり、良好な消臭効果を得ることができる。すなわち、使用者の足裏に磁気を作用させつつ消臭効果を得ることができる。
【００４３】
本実施形態に係る履物用中敷１では、足裏形状の中央部よりもつま先側に銅板２１が配置されているため、特に通気性に乏しい履物内のつま先側における雑菌の繁殖を効果的に抑制できる。
【００４４】
本実施形態に係る履物用中敷１では、足裏形状の土踏まず部に磁石２３が配置されているため、土踏まず部のつぼに対する指圧的な効果と、磁気による血行促進効果とを得ることができる。また、厚みが大きい磁石２３を用いた場合でも、土踏まず部の凹みによって使用者の足裏に対する圧力が小さくなるため、比較的サイズが大きく磁気の強い磁石２３を使用し易くなり、磁気による血行促進効果を高め易い。
【００４５】
本実施形態に係る履物用中敷１では、基材１０に含まれる複数のシート部材１１の間に銅板２１及び磁石２３が挟み込まれているため、シート状の基材１０の内部に銅板２１及び磁石２３を埋め込む製造工程を簡易化できる。
【００４６】
本実施形態に係る履物用中敷１では、複数のシート部材１１が外縁線３１と磁石包囲線３２とにおいて溶着されており、外縁線３１と磁石包囲線３２とにより囲まれた第１領域Ａ１に磁石２３が配置される。そのため、外縁線３１側から第１領域Ａ１内へ磁石２３を挿入した後、第１領域Ａ１に接した外縁線３１の一部を高周波溶接などにより溶着する簡単な工程により、基材１０内の特定の領域（土踏まず部）へ磁石２３を配置させることができる。
【００４７】
本実施形態に係る履物用中敷１では、磁石包囲線３２が足裏形状の外縁から内側に向かって湾曲した曲線であるため、足裏形状の外縁から内側へ向かう方向へ第１領域Ａ１を広げることが可能となり、足裏形状の個人差に応じた磁石２３の位置の調整を簡単に行うことができる。また、湾曲した磁石包囲線３２を土踏まず部の輪郭にフィットさせ易くなるため、土踏まず部に対して安定的に磁石２３の磁気を作用させ易くなる。
【００４８】
本実施形態に係る履物用中敷１では、第１領域Ａ１を複数の範囲（Ｒ１〜Ｒ３）に区分する複数の区分線３３において複数のシート部材１１が溶着されており、複数の範囲（Ｒ１〜Ｒ３）がそれぞれ外縁線３１に接しており、足裏形状のつま先から踵に向かう方向へ複数の範囲（Ｒ１〜Ｒ３）が並んでおり、更に、複数の範囲（Ｒ１〜Ｒ３）の各々に磁石２３が配置されている。そのため、外縁線３１側から複数の範囲（Ｒ１〜Ｒ３）の各々へ磁石２３を挿入した後、複数の範囲（Ｒ１〜Ｒ３）に接した外縁線３１の一部を高周波溶接などにより溶着する簡単な工程により、基材１０内の特定の領域（土踏まず部）へ複数の磁石２３を配置させることができる。
【００４９】
本実施形態に係る履物用中敷１では、区分線３３が切れ目なく連続した実線であるため、第１領域Ａ１の複数の範囲（Ｒ１〜Ｒ３）を確実に分離することが可能であり、１つの範囲に配置された磁石２３が区分線３３を通過して別の範囲に移動することを効果的に防止できる。
【００５０】
本実施形態に係る履物用中敷１では、サイズが異なる複数の足裏の輪郭を模した複数の足裏輪郭線３４において複数のシート部材１１が溶着される。ここで、当該異なるサイズの複数の足裏は、踵に対するつま先の方向が基材１０の足裏形状と同じであるとともに、踵の位置が基材１０の足裏形状と同じである。また、複数の足裏輪郭線３４は、それぞれつま先の輪郭を含んだ足裏の前方部分の輪郭を模している。従って、複数のシート部材１１を複数の足裏輪郭線３４によって強固に固定できるとともに、足裏輪郭線３４に沿って複数のシート部材１１を切断することにより、基材１０のサイズを様々な足裏のサイズに合わせることができる。
【００５１】
本実施形態に係る履物用中敷１では、複数の足裏輪郭線３４における少なくとも一部の足裏輪郭線３４（図１の例では足裏輪郭線３４−１）の両端（図１の例では端部３０１−１及び３０２−１）が、外縁線３１から離間している。これにより、足裏輪郭線３４の両端が外縁線３１に接している場合に比べて、足裏形状の前方部分の側縁部における溶着部分の幅を狭くすることができる。
【００５２】
図９は、図１に示す履物用中敷１に対する比較例を示す図であり、足裏輪郭線３４−１の両側の端部が外縁線３１に接している例を示す。図１０は、図９に示す比較例のＸ−Ｘ線における模式的な断面図である。図１と図９を比較して分かるように、図９に示す比較例では、足裏形状の前方部分の側縁部における溶着部の幅が広くなっている。すなわち、図１０に示す比較例の断面図を見ると、外縁線３１と足裏輪郭線３４−１とが側縁部においてつながっており、図３に示す断面図と比較して、側縁部における溶着部分の幅が広い。高周波溶接等による溶着部分は、非溶着部分に比べて弾性が低くなっており、変形に対して脆い傾向がある。一方、足裏形状の前方部分の側縁部は、歩行の際に変形を生じやすい。そのため、側縁部における溶着部分の幅が広くなると、歩行の際の変形によって側縁部に塑性変形やひび割れが生じ易くなる。本実施形態に係る履物用中敷１では、足裏形状の前方部分の側縁部における溶着部分の幅を狭くすることによって、当該側縁部の変形によるひび割れなどが生じ難くなり、履物用中敷１の耐久性を高めることができる。
【００５３】
本実施形態に係る履物用中敷１では、足裏形状の最もつま先側に位置する足裏輪郭線３４−１の両側の端部（端部３０１−１及び３０２−１）が外縁線３１から離間しているため、特に変形を生じ易いつま先付近の側縁部における溶着部分の幅を狭くすることが可能となり、履物用中敷１の耐久性を高め易くなる。
【００５４】
本実施形態に係る履物用中敷１では、基材１０の足裏形状の最も踵側に位置する足裏輪郭線３４−３に接した第２領域Ａ２であって、足裏輪郭線３４−３の両端を結ぶ直線と足裏輪郭線３４−３とにより囲まれた第２領域Ａ２に銅板２１が配置される。これにより、銅板２１のつま先側の位置を制限するための溶着部分として、足裏輪郭線３４−３を兼用することができる。
【００５５】
本実施形態に係る履物用中敷１では、第２領域Ａ２内において、少なくとも足裏形状の踵側及び左右の側方から銅板２１の周囲の一部を囲む第２領域Ａ２内の銅板包囲線３５において複数のシート部材１１が溶着される。これにより、銅板２１のつま先側の位置を足裏輪郭線３４−３によって制限できるとともに、銅板２１の踵側及び左右側方の位置を銅板包囲線３５によって制限できるため、第２領域Ａ２における銅板２１の位置を安定に保持することができる。
【００５６】
本実施形態に係る履物用中敷１では、上シート部材１１−１に隣接する中間シート部材１１−２と上シート部材１１−１との間に磁石２３が挟み込まれているため、使用者の足裏と磁石２３との間に介在するシート部材１１の数が最小となり、使用者の足裏に作用する磁気を大きくすることができる。
【００５７】
本実施形態に係る履物用中敷１では、上シート部材１１−１に隣接する中間シート部材１１−２と上シート部材１１−１との間に銅板２１が挟み込まれているため、使用者の足裏と銅板２１との間に介在するシート部材１１の数が最小となり、使用者の足裏付近に及ぼされる銅板２１の殺菌作用を高めることができる。
【００５８】
本実施形態に係る履物用中敷１では、シート部材１１−１を介して使用者の足裏に接する磁石２３の上面２３１が当該使用者の足裏の方向に向けて滑らかに突出した曲面であるため、磁石２３の上面２３１の縁が足裏に当たることによる違和感を軽減しつつ、磁石２３の上面２３１を使用者の足裏に対して深く押し付けることができる。
【００５９】
本実施形態に係る履物用中敷１では、足裏形状のつま先の方向に向かうほど横幅が小さくなる形状を持つように銅板２１が形成されているため、つま先に向かって幅が狭くなる足裏形状に合わせて、銅板２１の横幅を大きくしつつ、つま先の近くに銅板２１を配置させることができる。
【００６０】
次に、本実施形態に係る履物用中敷１の製造方法について図６〜図７を参照して説明する。
【００６１】
まず、所定の金型を用いたシート部材１１−１〜１１−５の溶着と切断によって作成された図６に示す半製品が準備される。半製品の製作には、例えば上部金型と下部金型が用いられる。上部金型と下部金型のそれぞれには、溶着部分（外縁線３１、磁石包囲線３２、区分線３３、足裏輪郭線３４、銅板包囲線３５）に対応する金属の突条が設けられている。シート部材１１−１とシート部材１１−２との間の所定の位置に銅板２１を挟み込んだ状態で、シート部材１１−１〜１１−５が上部金型と下部金型とにより挟み込まれ、それぞれの突条を突き合せて圧力が加えられる。この状態で、上部金型と下部金型との間に高周波電圧を印加することにより、銅板２１を挟み込まれた状態のシート部材１１−１〜１１−５が互いに溶着される。シート部材１１−１〜１１−５の溶着後、図６に示す形状をなした外縁線３１Ａ（準外縁線３１Ａとも呼ばれる。）に沿ってシート部材１１−１〜１１−５を切断することにより、図６に示すような半製品が製作される。
【００６２】
半製品（図６）を構成するシート部材１１−１〜１１−５は、足裏形状の第１領域Ａ１に対応する部分において外側に凸部１５が突出した足裏形状（以下、「準足裏形状」と記す。）を持つ。半製品のシート部材１１−１〜１１−５は、中間に銅板２１が挟み込まれた状態で、準足裏形状の外縁に沿った準外縁線３１Ａと、磁石包囲線３２と、区分線３３−１〜３３−２と、足裏輪郭線３４−１〜３４−３と、銅板包囲線３５とにおいて高周波溶接により溶着されている。
【００６３】
図６に示す半製品が準備されると、次に図７に示すように、凸部１５における準外縁線３１Ａの一部が切除され、シート部材１１−１〜１１−５同士の隙間が凸部１５の外縁において開いた状態とされる。そして、凸部１５の外縁において開いたシート部材１１−１とシート部材１１−２との隙間から、シート部材１１−１とシート部材１１−２との間に形成される３つの収容空間の各々へ、図７に示すように磁石２３が挿入される。ここで、３つの磁石２３が挿入される３つの収容空間は、２つの区分線３３−１〜３３−２によって区分された第１領域Ａ１の３つの範囲Ｒ１〜Ｒ３に対応する。
【００６４】
３つの範囲Ｒ１〜Ｒ３に対応する３つの収容空間の各々に磁石２３が挿入された後、図８に示すように、凸部１５を横切る足裏形状の外縁線３１（図１）において、シート部材１１−１〜１１−５が高周波溶接などにより溶着される。これにより、３つの範囲Ｒ１〜Ｒ３のそれぞれに磁石２３が配置され、シート部材１１−１〜１１−５の内部に閉じ込められた状態となる。
【００６５】
図８に示すように外縁線３１が溶着された後、シート部材１１−１〜１１−５の形状が図１に示す足裏形状となるように、シート部材１１−１〜１１−５における凸部１５が切り取られる。
【００６６】
以上説明したように、本実施形態に係る履物用中敷１の製造方法では、図６に示すような準足裏形状を持つ半製品における凸部１５の外縁の開口部から磁石２３が挿入された後、凸部１５を横切る足裏形状の外縁線３１（図１）に沿ってシート部材１１−１〜１１−５が溶着され、この溶着後に凸部１５が切り取られることによって、図１に示す履物用中敷１が製造される。銅板２１に比べてサイズが小さい磁石２３は、金型による高周波溶接の際、その位置を安定的に保持することが難しく、誤って磁石２３が金型に触れてしまうと、高周波溶接に失敗する可能性がある。この製造方法によれば、磁石２３を含まない半製品において、金型によるシート部材１１−１〜１１−５の高周波溶接を簡単に行うことができる。また、半製品に挿入した磁石２３は、区分線３３−１〜３３−２により区分された３つの範囲Ｒ１〜Ｒ３において安定的に保持されるため、半製品に磁石２３を挿入した状態でも、高周波溶接を容易に行うことができる。すなわち、この製造方法によれば、サイズの小さい磁石２３が含まれた履物用中敷１を高周波溶接によって容易に製造することができる。
【００６７】
本発明は上述した実施形態には限定されない。
すなわち、当業者は、本発明の技術的範囲又はその均等の範囲内において、上述した実施形態の構成要素に関し、様々な変更、コンビネーション、サブコンビネーション、並びに代替を行ってもよい。
【００６８】
例えば、上述した実施形態における銅板２１の位置や数、形状は一例であり、それぞれ任意に変更してよい。例えば、銅板２１の左右の側面形状は、円弧のように湾曲した曲線でもよい。
【００６９】
上述した実施形態における磁石２３の位置や数、形状は一例であり、それぞれ任意に変更してよい。また、磁石２３の数に合わせて、第１領域Ａ１を区分する区分線３３の数も適宜変更してよい。
【００７０】
上述した実施形態における基材１０（シート部材１１）の形状は一例であり、任意に変更してよい。また、基材１０を構成するシート部材１１の数も一例であり、本発明の他の実施形態では４以下でも６以上でもよい。
【００７１】
上述した実施形態における基材１０の溶着部分（外縁線３１、磁石包囲線３２、区分線３３−１〜３３−２、足裏輪郭線３４−１〜３４−３、銅板包囲線３５）は一例であり、その一部を適宜省略してもよいし、それぞれの数を変更してもよいし、これ以外の溶着部分を追加してもよい。また、上述した実施形態における実線の溶着部分は点線に置き変えてもよいし、点線の溶着部分は実線に置き変えてもよい。
【００７２】
基材１０の履物内の底部との間には、ポリ塩化ビニル等から構成される滑り止めシートを設けてもよい。
【符号の説明】
【００７３】
１…履物用中敷
１０…基材
１１，１１−１〜１１−５…シート部材
１５…凸部、２１…銅板
２３，２３−１〜２３−３…磁石
３１…外縁線
３１Ａ…準外縁線
３２…磁石包囲線
３３，３３−１〜３３−２…区分線
３４，３４−１〜３４−３…足裏輪郭線
３０１−１〜３０１−３，３０２−１〜３０２−３…端部
３５…銅板包囲線
Ａ１…第１領域
Ａ２…第２領域、
Ｒ１〜Ｒ３…範囲
【図１】
2019077791.tif 000003
【図２】
2019077791.tif 000004
【図３】
2019077791.tif 000005
【図４】
2019077791.tif 000006
【図５】
2019077791.tif 000007
【図６】
2019077791.tif 000008
【図７】
2019077791.tif 000009
【図８】
2019077791.tif 000010
【図９】
2019077791.tif 000011
【図１０】
2019077791.tif 000012
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
履物内の底部に敷かれる履物用中敷であって、
足裏を模した足裏形状を持つシート状の基材と、
前記基材の内部に埋め込まれ、前記足裏形状の中央部よりもつま先側に配置された銅板と、
前記基材の内部に埋め込まれ、前記足裏形状の土踏まず部に配置された磁石と
を有し、
前記基材は、それぞれ前記足裏形状を持ち、互いに重ね合わされた複数のシート部材を含み、
前記銅板及び前記磁石は、前記複数のシート部材の間に挟み込まれており、
前記複数のシート部材は、
前記足裏形状の外縁に沿った外縁線と、
前記外縁線に接した前記土踏まず部において前記磁石の周囲の一部を囲む磁石包囲線とにおいて溶着されており、
前記磁石は、前記外縁線と前記磁石包囲線とにより囲まれた第１領域に配置される履物用中敷。
【請求項２】
前記磁石包囲線は、前記足裏形状の外縁から内側に向かって湾曲した曲線である、
請求項１に記載の履物用中敷。
【請求項３】
前記複数のシート部材は、前記第１領域を複数の範囲に区分する１以上の区分線において溶着されており、
前記複数の範囲は、それぞれ前記外縁線に接しており、前記足裏形状のつま先から踵に向かう方向において並んでおり、
前記複数の範囲の各々に前記磁石が配置される、
請求項１又は２に記載の履物用中敷。
【請求項４】
前記区分線は、切れ目なく連続した実線である、
請求項３に記載の履物用中敷。
【請求項５】
前記複数のシート部材は、
前記足裏形状の外縁に沿った外縁線と、
サイズが異なる複数の足裏の輪郭を模した複数の足裏輪郭線とにおいて溶着されており、
前記サイズが異なる複数の足裏は、踵に対するつま先の方向が前記足裏形状と同じであるとともに、踵の位置が前記足裏形状と同じであり、
前記複数の足裏輪郭線は、それぞれつま先の輪郭を含んだ足裏の前方部分の輪郭を模しており、
少なくとも１つの前記足裏輪郭線は、両側の端部が前記外縁線から離間している、
請求項１〜４のいずれ一項に記載の履物用中敷。
【請求項６】
前記足裏形状の最もつま先側に位置する前記足裏輪郭線は、前記両側の端部が前記外縁線から離間している、
請求項５に記載の履物用中敷。
【請求項７】
前記銅板は、前記足裏形状の最もつま先側に位置する前記足裏輪郭線の前記両側の端部を結ぶ直線と重なる場所に配置される、
請求項６に記載の履物用中敷。
【請求項８】
前記銅板は、前記足裏形状の最も踵側に位置する前記足裏輪郭線に接した第２領域であって、当該足裏輪郭線の両端を結ぶ直線と当該足裏輪郭線とにより囲まれた前記第２領域に配置される、
請求項５〜７のいずれか一項に記載の履物用中敷。
【請求項９】
前記複数のシート部材は、前記第２領域内において、少なくとも前記足裏形状の踵側及び左右の側方から前記銅板の周囲の一部を囲む銅板包囲線において溶着されている、
請求項８に記載の履物用中敷。
【請求項１０】
履物内の底部に敷かれる履物用中敷であって、
足裏を模した足裏形状を持つシート状の基材と、
前記基材の内部に埋め込まれ、前記足裏形状の中央部よりもつま先側に配置された銅板と、
前記基材の内部に埋め込まれ、前記足裏形状の土踏まず部に配置された磁石と
を有し、
前記基材は、それぞれ前記足裏形状を持ち、互いに重ね合わされた複数のシート部材を含み、
前記銅板及び前記磁石は、前記複数のシート部材の間に挟み込まれており、
前記複数のシート部材は、
前記足裏形状の外縁に沿った外縁線と、
サイズが異なる複数の足裏の輪郭を模した複数の足裏輪郭線とにおいて溶着されており、
前記サイズが異なる複数の足裏は、踵に対するつま先の方向が前記足裏形状と同じであるとともに、踵の位置が前記足裏形状と同じであり、
前記複数の足裏輪郭線は、それぞれつま先の輪郭を含んだ足裏の前方部分の輪郭を模しており、
少なくとも１つの前記足裏輪郭線は、両側の端部が前記外縁線から離間している履物用中敷。
【請求項１１】
前記足裏形状の最もつま先側に位置する前記足裏輪郭線は、前記両側の端部が前記外縁線から離間している、
請求項１０に記載の履物用中敷。
【請求項１２】
前記銅板は、前記足裏形状の最もつま先側に位置する前記足裏輪郭線の前記両側の端部を結ぶ直線と重なる場所に配置される、
請求項１１に記載の履物用中敷。
【請求項１３】
前記銅板は、前記足裏形状の最も踵側に位置する前記足裏輪郭線に接した第２領域であって、当該足裏輪郭線の両端を結ぶ直線と当該足裏輪郭線とにより囲まれた前記第２領域に配置される、
請求項１０〜１２のいずれか一項に記載の履物用中敷。
【請求項１４】
前記複数のシート部材は、前記第２領域内において、少なくとも前記足裏形状の踵側及び左右の側方から前記銅板の周囲の一部を囲む銅板包囲線において溶着されている、
請求項１３に記載の履物用中敷。
【請求項１５】
前記複数のシート部材は、
使用者の足裏に接する上シート部材と、
前記履物内の底面に接する下シート部材と、
前記上シート部材と前記下シート部材との間に挟まれた１以上の中間シート部材と
を含み、
前記磁石は、前記上シート部材に隣接する前記中間シート部材と前記上シート部材との間に挟み込まれている、
請求項１〜１４のいずれか一項に記載の履物用中敷。
【請求項１６】
前記磁石は、前記シート部材を介して使用者の足裏に接する面が当該使用者の足裏の方向に向けて滑らかに突出した曲面である、
請求項１〜１５のいずれ一項に記載の履物用中敷。
【請求項１７】
前記銅板は、前記足裏形状のつま先の方向に向かうほど横幅が小さくなる形状を持つ、
請求項１〜１６のいずれか一項に記載の履物用中敷。
【請求項１８】
請求項３に記載の履物用中敷の製造方法であって、
前記足裏形状の前記第１領域に対応する部分において外側に凸部が突出した準足裏形状を持ち、前記準足裏形状の外縁に沿った準外縁線と前記磁石包囲線と前記１以上の区分線とにおいて交周波溶接により溶着され、かつ、前記銅板が中間に挟み込まれた前記複数のシート部材を準備する工程と、
前記凸部の外縁において開いた前記シート部材同士の隙間から、前記複数のシート部材の中に形成される複数の収容空間であって、前記第１領域の前記複数の範囲に対応する複数の収容空間の各々に、前記磁石を挿入する工程と、
前記凸部を横切る前記足裏形状の前記外縁線において前記複数のシート部材を溶着する工程と、
前記複数のシート部材の形状が前記足裏形状となるように、前記複数のシート部材における前記凸部を切り取る工程と、
を有する履物用中敷の製造方法。
【手続補正２】
【補正対象書類名】明細書
【補正対象項目名】０００７
【補正方法】変更
【補正の内容】
【０００７】
基材は、それぞれ足裏形状を持ち、互いに重ね合わされた複数のシート部材を含んでいる。銅板及び磁石は、複数のシート部材の間に挟み込まれている。
【手続補正３】
【補正対象書類名】明細書
【補正対象項目名】０００８
【補正方法】変更
【補正の内容】
【０００８】
複数のシート部材は、足裏形状の外縁に沿った外縁線と、外縁線に接した土踏まず部において磁石の周囲の一部を囲む磁石包囲線とにおいて溶着されている。磁石は、外縁線と磁石包囲線とにより囲まれた第１領域に配置されている。
【手続補正４】
【補正対象書類名】明細書
【補正対象項目名】００１２
【補正方法】変更
【補正の内容】
【００１２】
複数のシート部材は、足裏形状の外縁に沿った外縁線と、サイズが異なる複数の足裏の輪郭を模した複数の足裏輪郭線とにおいて溶着されている。当該サイズが異なる複数の足裏は、踵に対するつま先の方向が足裏形状と同じであるとともに、踵の位置が足裏形状と同じである。複数の足裏輪郭線は、それぞれつま先の輪郭を含んだ足裏の前方部分の輪郭を模している。少なくとも１つの足裏輪郭線は、両側の端部が外縁線から離間している。
【国際調査報告】
2019077791.tif 000013
2019077791.tif 000014
2019077791.tif 000015
2019077791.tif 000016